(57)【要約】【課題】放送番組に関連する付帯コンテンツを安定して取得することができる視聴システムを提供すること。【解決手段】この視聴システム１ａは、移動通信端末１０と情報通信端末２０とを含み、移動通信端末１０は、視聴部１０１と、放送番組に関連する付帯コンテンツを情報通信端末２０から受け取るコンテンツ収受部１０４と、当該受け取った付帯コンテンツが関連する放送番組を視聴する際に、当該付帯コンテンツを特定するための選択情報を表示するように指示信号を出力する第一指示部１０５と、当該表示された選択情報の選択に応じて、付帯コンテンツを表示するように指示信号を出力する第二指示部１０７と、を備える。【選択図】  図１
2004343224.tif 000002
【特許請求の範囲】
【請求項１】
移動体通信網を介して情報通信が可能であると共に放送網を介して放送番組の視聴が可能な移動通信端末と固定通信網を介して情報通信が可能な情報通信端末とを含む視聴システムであって、
前記移動通信端末は、
前記放送番組を視聴するための視聴手段と、
前記放送番組に関連する付帯コンテンツを前記情報通信端末から受け取るコンテンツ収受手段と、
当該受け取った付帯コンテンツが関連する放送番組を視聴する際に、当該付帯コンテンツを特定するための選択情報を表示するように指示信号を出力する第一指示手段と、
当該表示された選択情報の選択に応じて、当該選択情報で特定される付帯コンテンツを表示するように指示信号を出力する第二指示手段と、
を備え、
前記情報通信端末は、
前記移動通信端末における放送番組の視聴に基づく視聴予測によって特定される視聴予定の放送番組に関連する付帯コンテンツを返信するように要求する返信要求情報を送信する要求送信手段と、
当該送信要求情報の送信に応じて返送される付帯コンテンツを受信するコンテンツ受信手段と、
当該受信した付帯コンテンツを、当該付帯コンテンツが関連する放送番組の放送予定時刻に応じた所定の時刻に前記移動通信端末に出力するコンテンツ出力手段と、
を備える視聴システム。
【請求項２】
前記移動通信端末における放送番組の視聴履歴を作成する履歴作成手段と、
前記移動通信端末における放送番組の視聴履歴に基づいて、前記移動通信端末における放送番組の視聴予測をする予測手段と、
を備える請求項１に記載の視聴システム。
【請求項３】
前記情報通信端末が送信する返信要求情報に基づいて付帯コンテンツを選択するコンテンツ選択手段と、
当該選択した付帯コンテンツを前記情報通信端末に送信するコンテンツ送信手段と、
を備える請求項１又は２に記載の視聴システム。
【請求項４】
移動体通信網を介して情報通信が可能であると共に放送網を介して放送番組の視聴が可能な移動通信端末であって、
前記放送番組を視聴するための視聴手段と、
当該放送番組の視聴に基づいて視聴履歴を作成する履歴作成手段と、
当該作成した視聴履歴を、固定通信網を介して情報通信が可能な情報通信端末に出力する履歴出力手段と、
前記放送番組に関連する付帯コンテンツを前記情報通信端末から受け取るコンテンツ収受手段と、
当該受け取った付帯コンテンツが関連する放送番組を視聴する際に、当該付帯コンテンツを特定するための選択情報を表示するように指示信号を出力する第一指示手段と、
当該表示された選択情報の選択に応じて、当該選択情報で特定される付帯コンテンツを表示するように指示信号を出力する第二指示手段と、
を備える移動通信端末。
【請求項５】
コンピュータを、
放送網を介して放送番組を視聴するための視聴手段と、
当該放送番組の視聴に基づいて視聴履歴を作成する履歴作成手段と、
当該作成した視聴履歴を、固定通信網を介して情報通信が可能な情報通信端末に出力する履歴出力手段と、
前記放送番組に関連する付帯コンテンツを前記情報通信端末から受け取るコンテンツ収受手段と、
当該受け取った付帯コンテンツが関連する放送番組を視聴する際に、当該付帯コンテンツを特定するための選択情報を表示するように指示信号を出力する第一指示手段と、
当該表示された選択情報の選択に応じて、当該選択情報で特定される付帯コンテンツを表示するように指示信号を出力する第二指示手段と、
を備える移動通信端末として機能させるための視聴プログラム。
【請求項６】
固定通信網を介して情報通信が可能な情報通信端末であって、
移動体通信網を介して情報通信が可能であると共に放送網を介して放送番組の視聴が可能な移動通信端末における放送番組の視聴履歴を受け取る履歴収受手段と、
当該受け取った視聴履歴に基づいて、前記移動通信端末における放送番組の視聴予測を行う予測手段と、
当該視聴予測によって特定される視聴予定の放送番組に関連する付帯コンテンツを返信するように要求する返信要求情報を送信する要求送信手段と、
当該送信要求情報の送信に応じて返送される付帯コンテンツを受信するコンテンツ受信手段と、
当該受信した付帯コンテンツを、当該付帯コンテンツが関連する放送番組の放送予定時刻に応じた所定の時刻に前記移動通信端末に出力するコンテンツ出力手段と、
を備える情報通信端末。
【請求項７】
コンピュータを、固定通信網を介して情報通信が可能な情報通信端末であって、
移動体通信網を介して情報通信が可能であると共に放送網を介して放送番組の視聴が可能な移動通信端末における放送番組の視聴履歴を受け取る履歴収受手段と、
当該受け取った視聴履歴に基づいて、前記移動通信端末における放送番組の視聴予測を行う予測手段と、
当該視聴予測によって特定される視聴予定の放送番組に関連する付帯コンテンツを返信するように要求する返信要求情報を送信する要求送信手段と、
当該送信要求情報の送信に応じて返送される付帯コンテンツを受信するコンテンツ受信手段と、
当該受信した付帯コンテンツを、当該付帯コンテンツが関連する放送番組の放送予定時刻に応じた所定の時刻に前記移動通信端末に出力するコンテンツ出力手段と、
を備える情報通信端末として機能させるための視聴プログラム。
【発明の詳細な説明】
【０００１】
【発明の属する技術分野】
本発明は、視聴システム、移動通信端末、情報通信端末、及び視聴プログラムに関するものである。
【０００２】
【従来の技術】
多チャンネル時代に対応して、ＨＤＤ（Ｈａｒｄ  Ｄｉｓｋ  Ｄｒｉｖｅ）といったランダムアクセス媒体を用いた放送番組の蓄積装置が商品化されている。この蓄積装置において、ユーザの視聴履歴に基づいて選択された放送番組を蓄積する技術の一例が下記特許文献１に開示されている。
【０００３】
【特許文献１】
特開２００１−２８５７６５号公報
【０００４】
【発明が解決しようとする課題】
ところで、デジタル放送の普及に合わせて、放送番組に関連付けられた付帯コンテンツを提供するサービスが実用化されようとしている。この付帯コンテンツの一例としては、放送番組に登場する人物の説明や、商品の宣伝といったものがあり、そのデータ形式は様々なものが考えられている。この付帯コンテンツは、放送番組とは別の情報であるから、視聴する端末においては放送番組と別個に受信する必要がある。しかしながら、放送番組の視聴機能を有する移動通信端末において付帯コンテンツを受信する場合において、一般的には移動通信網の帯域が狭いために付帯コンテンツの取得に時間がかかる場合や、通信状態によってはその取得がうまくいかない場合も想定される。また、移動通信端末を小型化するためには情報格納部を極力小さくすることが要望されており、全ての放送番組の付帯コンテンツを格納しておくことは困難である。
【０００５】
そこで本発明では、放送番組に関連する付帯コンテンツを安定して取得することができ、更に移動通信端末に付帯コンテンツを効率的に格納することができる視聴システム、移動通信端末、情報通信端末、及び視聴プログラムを提供することを課題とする。
【０００６】
【課題を解決するための手段】
本発明の視聴システムは、移動体通信網を介して情報通信が可能であると共に放送網を介して放送番組の視聴が可能な移動通信端末と固定通信網を介して情報通信が可能な情報通信端末とを含む視聴システムであって、
移動通信端末は、放送番組を視聴するための視聴手段と、放送番組に関連する付帯コンテンツを情報通信端末から受け取るコンテンツ収受手段と、当該受け取った付帯コンテンツが関連する放送番組を視聴する際に、当該付帯コンテンツを特定するための選択情報を表示するように指示信号を出力する第一指示手段と、当該表示された選択情報の選択に応じて、当該選択情報で特定される付帯コンテンツを表示するように指示信号を出力する第二指示手段と、を備え、
情報通信端末は、移動通信端末における放送番組の視聴に基づく視聴予測によって特定される視聴予定の放送番組に関連する付帯コンテンツを返信するように要求する返信要求情報を送信する要求送信手段と、当該送信要求情報の送信に応じて返送される付帯コンテンツを受信するコンテンツ受信手段と、当該受信した付帯コンテンツを、当該付帯コンテンツが関連する放送番組の放送予定時刻に応じた所定の時刻に移動通信端末に出力するコンテンツ出力手段と、を備える。
【０００７】
本発明の視聴システムによれば、移動通信端末は、情報通信端末が固定通信網を介して取得した付帯コンテンツを受け取るので、安定して付帯コンテンツを取得できる。また、情報通信端末から移動通信端末へは放送予定時刻に応じた時刻に付帯コンテンツが出力されるから、移動通信端末に不要な付帯コンテンツが蓄積されることが低減される。
【０００８】
また本発明の視聴システムにおいては、移動通信端末における放送番組の視聴履歴を作成する履歴作成手段と、移動通信端末における放送番組の視聴履歴に基づいて移動通信端末における放送番組の視聴予測をする予測手段と、を備えることも好ましい。視聴履歴を作成するので、より的確に視聴の動向が把握できる。また、その視聴履歴に基づいて視聴予測をするので、ユーザが視聴しようとする番組をより的確に予測できる。
【０００９】
また本発明の視聴システムにおいては、情報通信端末が送信する返信要求情報に基づいて付帯コンテンツを選択するコンテンツ選択手段と、当該選択した付帯コンテンツを情報通信端末に送信するコンテンツ送信手段と、を備えることも好ましい。返信要求情報に基づいて付帯コンテンツを選択するので、ユーザの視聴傾向に合わせた付帯コンテンツを選択できる。その選択に応じて付帯コンテンツを送信するので要求に応じた付帯コンテンツの提供が可能となる。
【００１０】
本発明の移動通信端末は、移動体通信網を介して情報通信が可能であると共に放送網を介して放送番組の視聴が可能な移動通信端末であって、放送番組を視聴するための視聴手段と、当該放送番組の視聴に基づいて視聴履歴を作成する履歴作成手段と、当該作成した視聴履歴を、固定通信網を介して情報通信が可能な情報通信端末に出力する履歴出力手段と、放送番組に関連する付帯コンテンツを情報通信端末から受け取るコンテンツ収受手段と、当該受け取った付帯コンテンツが関連する放送番組を視聴する際に、当該付帯コンテンツを特定するための選択情報を表示するように指示信号を出力する第一指示手段と、当該表示された選択情報の選択に応じて、当該選択情報で特定される付帯コンテンツを表示するように指示信号を出力する第二指示手段と、を備える。
【００１１】
本発明の移動通信端末によれば、情報通信端末が固定通信網を介して取得した付帯コンテンツを受け取るので、安定して付帯コンテンツを取得できる。また、視聴履歴を作成するので、より的確に視聴の動向が把握できる。作成した視聴履歴を情報通信端末に出力するので、移動通信端末での視聴履歴を情報通信端末に的確に伝達することができる。
【００１２】
本発明の情報通信端末は、固定通信網を介して情報通信が可能な情報通信端末であって、移動体通信網を介して情報通信が可能であると共に放送網を介して放送番組の視聴が可能な移動通信端末における放送番組の視聴履歴を受け取る履歴収受手段と、当該受け取った視聴履歴に基づいて、移動通信端末における放送番組の視聴予測を行う予測手段と、当該視聴予測によって特定される視聴予定の放送番組に関連する付帯コンテンツを返信するように要求する返信要求情報を送信する要求送信手段と、当該送信要求情報の送信に応じて返送される付帯コンテンツを受信するコンテンツ受信手段と、当該受信した付帯コンテンツを、当該付帯コンテンツが関連する放送番組の放送予定時刻に応じた所定の時刻に移動通信端末に出力するコンテンツ出力手段と、を備える。
【００１３】
本発明の情報通信端末によれば、移動通信端末へ放送予定時刻に応じた時刻に付帯コンテンツを出力するから、移動通信端末に不要な付帯コンテンツを出力することを極力回避できる。移動通信端末から出力される視聴履歴に基づいて視聴予測をするので、ユーザが視聴しようとする番組をより的確に予測できる。
【００１４】
本発明の視聴プログラムは、コンピュータを、放送網を介して放送番組を視聴するための視聴手段と、当該放送番組の視聴に基づいて視聴履歴を作成する履歴作成手段と、当該作成した視聴履歴を、固定通信網を介して情報通信が可能な情報通信端末に出力する履歴出力手段と、放送番組に関連する付帯コンテンツを情報通信端末から受け取るコンテンツ収受手段と、当該受け取った付帯コンテンツが関連する放送番組を視聴する際に、当該付帯コンテンツを特定するための選択情報を表示するように指示信号を出力する第一指示手段と、当該表示された選択情報の選択に応じて、当該選択情報で特定される付帯コンテンツを表示するように指示信号を出力する第二指示手段と、を備える移動通信端末として機能させる。
【００１５】
コンピュータを用いて本発明の視聴プログラムを実行すると、情報通信端末が固定通信網を介して取得した付帯コンテンツを受け取るので、安定して付帯コンテンツを取得できる。また、視聴履歴を作成するので、より的確に視聴の動向が把握できる。作成した視聴履歴を情報通信端末に出力するので、移動通信端末での視聴履歴を情報通信端末に的確に伝達することができる。
【００１６】
本発明の視聴プログラムは、コンピュータを、固定通信網を介して情報通信が可能な情報通信端末であって、移動体通信網を介して情報通信が可能であると共に放送網を介して放送番組の視聴が可能な移動通信端末における放送番組の視聴履歴を受け取る履歴収受手段と、当該受け取った視聴履歴に基づいて、移動通信端末における放送番組の視聴予測を行う予測手段と、当該視聴予測によって特定される視聴予定の放送番組に関連する付帯コンテンツを返信するように要求する返信要求情報を送信する要求送信手段と、当該送信要求情報の送信に応じて返送される付帯コンテンツを受信するコンテンツ受信手段と、当該受信した付帯コンテンツを、当該付帯コンテンツが関連する放送番組の放送予定時刻に応じた所定の時刻に移動通信端末に出力するコンテンツ出力手段と、を備える情報通信端末として機能させる。
【００１７】
コンピュータを用いて本発明の視聴プログラムを実行すると、移動通信端末へ放送予定時刻に応じた時刻に付帯コンテンツを出力するから、移動通信端末に不要な付帯コンテンツを出力することを極力回避できる。移動通信端末から出力される視聴履歴に基づいて視聴予測をするので、ユーザが視聴しようとする番組をより的確に予測できる。
【００１８】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１９】
本発明の実施形態である視聴システムについて図１を用いて説明する。図１は、移動通信端末１０と、情報通信端末２０と、コンテンツサーバ３０とから構成される視聴システム１ａの構成を示した図である。移動通信端末１０と情報通信端末２０とは、直接接続されて、若しくは近距離無線によって、相互に情報通信可能なように構成されている。情報通信端末２０とコンテンツサーバ３０とは固定通信網（図示しない）を介して相互に情報通信可能なように構成されている。
【００２０】
移動通信端末１０は、ユーザが使用する携帯電話機であって、移動体通信網（図示しない）を介して情報通信が可能であると共に放送網（図示しない）を介して放送番組の視聴が可能な端末である。従って、移動通信端末１０は、物理的には、ＣＰＵ（中央処理装置）、ＲＡＭ（メインメモリ）、フラッシュメモリ、周波数変換チップ、パワーアンプ、アナログ・デジタル変換チップ、ボタンといった入力装置、ディスプレイといった表示装置といった携帯電話機としての部分と、チューナーといった同調装置を備えたテレビジョン受信機としての部分とを有するコンピュータシステムとして構成されている。
【００２１】
移動通信端末１０は機能的な構成要素として、視聴部１０１（視聴手段）と、履歴作成部１０２（履歴作成手段）と、履歴出力部１０３（履歴出力手段）と、コンテンツ収受部１０４（コンテンツ収受手段）と、第一指示部１０５（第一指示手段）と、表示部１０６と、第二指示部１０７（第二指示手段）と、を含む。引き続いて各構成要素について説明する。
【００２２】
視聴部１０１は、放送網を介して放送番組を視聴するための部分である。より具体的には、視聴部１０１は放送波と同調し、その放送波を受け取って所定の処理を行いディスプレイ等に表示可能とした情報をディスプレイ等に出力して表示させる部分である。視聴部１０１は、放送番組の視聴開始に合わせて「番組ＩＤ」と「シリーズＩＤ」と「チャンネル」と「ジャンル」とを履歴作成部１０２に出力し、放送番組の視聴終了に合わせて視聴終了情報を履歴作成部１０２に出力する。また、視聴部１０１は受信した放送番組の「番組ＩＤ」を第一指示部１０５に出力する。ここで、「番組ＩＤ」は各放送番組を特定するための情報であって、各放送番組に対して一意に付与されるものである。「シリーズＩＤ」は各放送番組が一連の放送番組の内の一つである場合に、その一連の放送番組をシリーズとして特定するための情報である。例えば、毎週同じ曜日の同じ時間帯に放送されるドラマには一つの「シリーズＩＤ」が付与される。「チャンネル」は各放送番組が放送されるチャンネルを特定する情報である。「ジャンル」は各放送番組のカテゴリを特定する情報である。
【００２３】
履歴作成部１０２は、放送番組の視聴に基づいて視聴履歴を作成し、その作成した視聴履歴を履歴情報格納部１１０に格納する部分である。より具体的には、視聴部１０１から放送番組の視聴開始に合わせて出力される「番組ＩＤ」と「シリーズＩＤ」と「チャンネル」と「ジャンル」とに基づいて、履歴作成部１０２は視聴日及び視聴開始時刻を特定する。視聴部１０１から視聴終了情報が出力されると、履歴作成部１０２は視聴終了時刻を特定する。履歴作成部１０２は、視聴部１０１から受け取った情報と、その受け取った情報に基づいて作成した情報とを履歴情報格納部１１０に格納する。
【００２４】
履歴情報格納部１１０に格納されている情報の例を図２に示す。図２に示す例に拠れば、履歴情報格納部１１０には「番組ＩＤ」「シリーズＩＤ」「視聴日」「視聴時間」「チャンネル」「ジャンル」が関連付けられて視聴履歴として格納されている。例えば、「番組ＩＤ」が「Ｐ００１」の番組は、「シリーズＩＤ」が「Ｓ００１」、「視聴日」が「２００３年４月１０日」、「視聴時間」が「６：００〜７：００」、「チャンネル」が「８」、「ジャンル」が「ニュース」であることを示している。
【００２５】
図１に戻って、履歴出力部１０３は、履歴作成部１０２が作成して履歴情報格納部１１０に格納した視聴履歴を、固定通信網を介してコンテンツサーバ３０と情報通信が可能な情報通信端末２０に出力する。履歴出力部１０３が情報通信端末２０に視聴履歴を出力する場合には、所定の時刻に視聴履歴を取りまとめて出力してもよく、視聴履歴が作成される毎に出力してもよい。
【００２６】
コンテンツ収受部１０４は、放送番組に関連する付帯コンテンツ（付帯コンテンツに関する情報を含む）を情報通信端末２０から受け取る部分である。コンテンツ収受部１０４は受け取った付帯コンテンツ（付帯コンテンツに関する情報を含む）をコンテンツ格納部１１１に格納する。この付帯コンテンツ（付帯コンテンツに関する情報を含む）は、後述するように、履歴出力部１０３が出力する視聴履歴に基づいて情報通信端末２０がコンテンツサーバ３０から取得するものである。コンテンツ格納部１１１に格納されている情報の例を図３に示す。図３に示す例に拠れば、コンテンツ格納部１１１には、「コンテンツＩＤ」「番組ＩＤ」「放送予定日」「放送予定時間」「チャンネル」「コンテンツ識別情報」「コンテンツ」が関連付けられて格納されている。「コンテンツＩＤ」は各付帯コンテンツを特定するための情報である。「番組ＩＤ」は対応する付帯コンテンツに関連する放送番組を特定するための情報であって、各放送番組に対して一意に付与されるものである。「放送予定日」は付帯コンテンツが関連する放送番組が放送される予定の日を示している。「放送予定時間」は付帯コンテンツが関連する放送番組が放送される予定の時間帯を示している。「チャンネル」は対応する付帯コンテンツに関連する放送番組が放送されるチャンネルを特定する情報である。「コンテンツ識別情報」は各放送番組の視聴中（若しくは視聴後）に画面に画像等を表示するための情報であって、その表示された画像をユーザが選択するとコンテンツが選択されるように関連付けられているものである。「コンテンツ」は付帯コンテンツの情報である。この「コンテンツ」は動画像でも静止画像でもよく、文字や音声でもよい。
【００２７】
第一指示部１０５は、コンテンツ収受部１０４が情報通信端末２０から受け取ってコンテンツ格納部１１１に格納した付帯コンテンツが関連する放送番組を視聴する際に、その関連する付帯コンテンツを特定するための選択情報としての「コンテンツ識別情報」を表示するように表示部１０６に指示信号を出力する部分である。より具体的には、視聴部１０１から第一指示部１０５へは受信した放送番組の「番組ＩＤ」が出力される。第一指示部１０５は、この出力された「番組ＩＤ」に基づいてコンテンツ格納部１１１に格納されている情報を検索し、その「番組ＩＤ」に対応する付帯コンテンツを選択する。例えば、図３の例に拠れば、視聴部１０１から出力された「番組ＩＤ」が「Ｐ００６」であれば、第一指示部１０５は対応する付帯コンテンツは「コンテンツＩＤ」が「Ｃ００１」のものであると認識する。第一指示部１０５は、対応する「コンテンツ識別情報」である「Ｃ００１．ｇｉｆ」を取得して表示部１０６に出力し、「番組ＩＤ」が「Ｐ００６」である放送番組に関連付けて表示するように指示信号を併せて出力する。
【００２８】
第二指示部１０７は、第一指示部１０５の指示に基づいて表示された選択情報としての「コンテンツ識別情報」の選択に応じて、その「コンテンツ識別情報」で特定される付帯コンテンツを表示するように表示部１０６に指示信号を出力する部分である。例えば、選択された「コンテンツ識別情報」が図３に示す「Ｃ００１．ｇｉｆ」であれば、第二指示部１０７は「コンテンツ」である「Ｃ００１．ｍｏｖ」をコンテンツ格納部１１１から取得し、「Ｃ００１．ｍｏｖ」とこの映像情報を表示するように指示する指示信号を表示部１０６に出力する。従って、表示部１０６では付帯コンテンツを表示することができる。
【００２９】
引き続いて、本発明の実施形態である視聴システム１ａを構成する情報通信端末２０について図１を用いて説明する。情報通信端末２０は、ユーザが使用する通信端末であって、物理的には、ＣＰＵ（中央処理装置）、メモリ、ボタンやキーボードといった入力装置、ディスプレイといった表示装置、ハードディスクといった格納装置、モデムといった通信装置などを備えたコンピュータシステムとして構成されている。
【００３０】
情報通信端末２０は機能的な構成要素として、履歴収受部２０１（履歴収受手段）と、予測部２０２（予測手段）と、要求送信部２０３（要求送信手段）と、コンテンツ受信部２０４（コンテンツ受信手段）と、コンテンツ出力部２０５（コンテンツ出力手段）と、コンテンツ格納部２１０と、を含む。引き続いて各構成要素について説明する。
【００３１】
履歴収受部２０１は、移動通信端末１０から出力される視聴履歴を受け取る部分である。履歴収受部２０１は受け取った視聴履歴を予測部２０２に出力する。
【００３２】
予測部２０２は、履歴収受部２０１が出力する視聴履歴に基づいて移動通信端末１０における放送番組の視聴予測を行う部分である。例えば、視聴履歴として図２に示すような情報が出力された場合には、同じ時間帯「６：００〜７：００」に同じチャンネル「８」の同じジャンル「ニュース」である放送番組を視聴していることから、予測部はユーザが「シリーズＩＤ」が「Ｓ００１」で特定されているニュース番組を次も視聴するものと予測する。また、図２の例では、「ジャンル」が同じ「映画」の放送番組を、時間帯に関わらず視聴しているので、このユーザは「映画」の「ジャンル」の番組を次も視聴するものと予測する。予測部２０２はこの視聴予測の結果を要求送信部２０３に出力する。
【００３３】
要求送信部２０３は、予測部２０２から出力される視聴予測によって特定される視聴予定の放送番組に関連する付帯コンテンツを返信するように要求する返信要求情報をコンテンツサーバ３０に送信する部分である。例えば、「シリーズＩＤ」が「Ｓ００１」の放送番組をユーザが視聴するものと予測した場合には、要求送信部２０３は、「シリーズＩＤ」が「Ｓ００１」の放送番組に関連する付帯コンテンツを返信するように要求する返信要求情報をコンテンツサーバ３０に送信する。
【００３４】
コンテンツ受信部２０４は、要求送信部２０３が送信する返信要求情報に応じてコンテンツサーバ３０が返送する付帯コンテンツ（付帯コンテンツに関する情報を含む）を受信し、その受信した付帯コンテンツ（付帯コンテンツに関する情報を含む）をコンテンツ格納部２１０に格納する部分である。コンテンツ格納部２１０に格納されている情報の例を図４に示す。図４に示す例に拠れば、コンテンツ格納部２１０には、「コンテンツＩＤ」「番組ＩＤ」「放送予定日」「放送予定時間」「チャンネル」「コンテンツ識別情報」「コンテンツ」が関連付けられて格納されている。コンテンツ格納部２１０に格納されているこれらの情報の意味は、移動通信端末１０のコンテンツ格納部１１１において説明したのと同様である。
【００３５】
コンテンツ出力部２０５は、コンテンツ受信部２０４が受信してコンテンツ格納部２１０に格納した付帯コンテンツ（付帯コンテンツに関する情報を含む）を、その付帯コンテンツが関連する放送番組の放送予定時刻に応じた所定の時刻に移動通信端末１０に出力する部分である。例えば、図４の例において、２００３年４月１４日の午前５：００になった場合には、「番組ＩＤ」が「Ｐ００６」の放送開始時刻である「６：００」よりも１時間前であるから、この時刻を所定の時刻として認識し、コンテンツ出力部２０５が「コンテンツＩＤ」が「Ｃ００１」の付帯コンテンツ（付帯コンテンツに関する情報を含む）を移動通信端末１０に出力する。この所定の時刻の設定はユーザの使用状況等に応じて適宜定められるものである。従って、コンテンツ格納部１１１に格納される情報は、「コンテンツＩＤ」が「Ｃ００１」の付帯コンテンツに関するもののみとなり（図３参照）。移動通信端末１０の情報格納領域を節約することができる（図３及び図４参照）。
【００３６】
引き続いて、本発明の実施形態である視聴システム１ａを構成するコンテンツサーバ３０について図１を用いて説明する。コンテンツサーバ３０は、コンテンツプロバイダが運用するサーバであって、物理的には、ＣＰＵ（中央処理装置）、メモリ、ボタンやキーボードといった入力装置、ディスプレイといった表示装置、ハードディスクといった格納装置、モデムといった通信装置などを備えたコンピュータシステムとして構成されている。
【００３７】
コンテンツサーバ３０は機能的な構成要素として、コンテンツ選択部３０１（コンテンツ選択手段）と、コンテンツ送信部３０２（コンテンツ送信手段）と、を含む。引き続いて各構成要素について説明する。
【００３８】
コンテンツ選択部３０１は、情報通信端末２０から送信される返信要求情報に基づいて付帯コンテンツ（付帯コンテンツに関する情報を含む）を選択し、その選択した情報をコンテンツ送信部３０２に出力する部分である。例えば、「シリーズＩＤ」が「Ｓ００１」の放送番組に関連する付帯コンテンツを返信するように要求する返信要求情報を受信すると、「シリーズＩＤ」が「Ｓ００１」の放送番組である「番組ＩＤ」が「Ｐ００６」及び「Ｐ００７」の放送番組に関連する付帯コンテンツ（付帯コンテンツに関する情報を含む）を選択してコンテンツ送信部３０２に出力する。
【００３９】
コンテンツ送信部３０２は、コンテンツ選択部３０１が選択して出力する付帯コンテンツ（付帯コンテンツに関する情報を含む）を情報通信端末２０に送信する部分である。
【００４０】
引き続いて、コンピュータを、上記実施形態の移動通信端末１０として機能させるための視聴プログラム８２及びそれが記録されているコンピュータ読取可能な記録媒体８について説明する。図５は、視聴プログラム８２が記録されている記録媒体８の構成を示した図である。記録媒体８としては、例えば、磁気ディスク、光ディスク、ＣＤ−ＲＯＭ、コンピュータに内蔵されたメモリなどが該当する。
【００４１】
記録媒体８は、図５に示すように、プログラムを記録するプログラム領域８１と、データを記録するデータ領域８３とを備えている。データ領域８３には、図１を用いて説明した履歴情報格納部１１０と同様の履歴情報データベース８３５と、コンテンツ格納部１１１と同様のコンテンツデータベース８３６とがそれぞれ格納されている。
【００４２】
プログラム領域８１には、視聴プログラム８２が記録されている。視聴プログラム８２は、処理を統括するメインモジュール８２１と、視聴モジュール８２２と、履歴作成モジュール８２３と、履歴出力モジュール８２４と、コンテンツ収受モジュール８２５と、第一指示モジュール８２６と、表示モジュール８２７と、第二指示モジュール８２８と、を備える。ここで、視聴モジュール８２２、履歴作成モジュール８２３、履歴出力モジュール８２４、コンテンツ収受モジュール８２５、第一指示モジュール８２６、表示モジュール８２７、第二指示モジュール８２８のそれぞれを動作させることによって実現する機能は、上記移動通信端末１０の視聴部１０１、履歴作成部１０２、履歴出力部１０３、コンテンツ収受部１０４、第一指示部１０５、表示部１０６、第二指示部１０７のそれぞれの機能と同様である。
【００４３】
引き続いて、コンピュータを、上記実施形態の情報通信端末２０として機能させるための視聴プログラム９２及びそれが記録されているコンピュータ読取可能な記録媒体９について説明する。図６は、視聴プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００４４】
記録媒体９は、図６に示すように、プログラムを記録するプログラム領域９１と、データを記録するデータ領域９３とを備えている。データ領域９３には、図１を用いて説明したコンテンツ格納部２１０と同様のコンテンツデータベース９３５が格納されている。
【００４５】
プログラム領域９１には、視聴プログラム９２が記録されている。視聴プログラム９２は、処理を統括するメインモジュール９２１と、履歴収受モジュール９２２と、予測モジュール９２３と、要求送信モジュール９２４と、コンテンツ受信モジュール９２５と、コンテンツ出力モジュール９２６と、を備える。ここで、履歴収受モジュール９２２と、予測モジュール９２３と、要求送信モジュール９２４と、コンテンツ受信モジュール９２５と、コンテンツ出力モジュール９２６のそれぞれを動作させることによって実現する機能は、上記情報通信端末２０の履歴収受部２０１、予測部２０２、要求送信部２０３、コンテンツ受信部２０４、コンテンツ出力部２０５のそれぞれの機能と同様である。
【００４６】
本実施形態においては、移動通信端末１０は、情報通信端末２０が固定通信網を介して取得した付帯コンテンツを受け取るので、安定して付帯コンテンツを取得できる。また、情報通信端末２０から移動通信端末１０へは放送予定時刻に応じた時刻に付帯コンテンツが出力されるから、移動通信端末１０のコンテンツ格納部１１１に不要な付帯コンテンツが蓄積されることが低減される。
【００４７】
また、本実施形態においては、移動通信端末１０の履歴作成部１０２が視聴履歴を作成するので、より的確に視聴の動向が把握できる。また、情報通信端末２０の予測部２０２がその視聴履歴に基づいて視聴予測をするので、ユーザが視聴しようとする番組をより的確に予測できる。
【００４８】
また、本実施形態においては、コンテンツサーバ３０のコンテンツ選択部３０１が返信要求情報に基づいて付帯コンテンツを選択するので、ユーザの視聴傾向に合わせた付帯コンテンツを選択できる。コンテンツサーバ３０のコンテンツ送信部３０２がその選択に応じて付帯コンテンツを送信するので要求に応じた付帯コンテンツの提供が可能となる。
【００４９】
【発明の効果】
本発明によれば、移動通信端末は、情報通信端末が固定通信網を介して取得した付帯コンテンツを受け取るので、安定して付帯コンテンツを取得できる。また、情報通信端末から移動通信端末へは放送予定時刻に応じた時刻に付帯コンテンツが出力されるから、移動通信端末に不要な付帯コンテンツが蓄積されることが低減される。従って本発明の目的とする、放送番組に関連する付帯コンテンツを安定して取得することができ、更に移動通信端末に付帯コンテンツを効率的に格納することができる視聴システム、移動通信端末、情報通信端末、及び視聴プログラムを提供することができた。
【図面の簡単な説明】
【図１】本発明の実施形態である視聴システムを説明するための図である。
【図２】図１の履歴情報格納部に格納されている情報の例を示す図である。
【図３】図１のコンテンツ格納部に格納されている情報の例を示す図である。
【図４】図１のコンテンツ格納部に格納されている情報の例を示す図である。
【図５】本発明の実施形態である視聴プログラムを説明するための図である。
【図６】本発明の実施形態である視聴プログラムを説明するための図である。
【符号の説明】
１ａ…視聴システム、１０…移動通信端末、１０１…視聴部、１０２…履歴作成部、１０３…履歴出力部、１０４…コンテンツ収受部、１０５…第一指示部、１０６…表示部、１０７…第二指示部、１１０…履歴情報格納部、１１１…コンテンツ格納部、２０…情報通信端末、２０１…履歴収受部、２０２…予測部、２０３…要求送信部、２０４…コンテンツ受信部、２０５…コンテンツ出力部、２１０…コンテンツ格納部、３０…コンテンツサーバ、３０１…コンテンツ選択部、３０２…コンテンツ送信部。
【図１】
2004343224.tif 000003
【図２】
2004343224.tif 000004
【図３】
2004343224.tif 000005
【図４】
2004343224.tif 000006
【図５】
2004343224.tif 000007
【図６】
2004343224.tif 000008